【手続補正書】
【提出日】平成29年8月8日(2017.8.8)
【手続補正１】
【補正対象書類名】特許請求の範囲
【補正対象項目名】全文
【補正方法】変更
【補正の内容】
【特許請求の範囲】
【請求項１】
コンピュータシステムを使用して、個人固有のアイウェア製品を製造するための命令を生成するためのコンピュータ実装方法であって、前記方法は、
前記コンピュータシステムによって、個人の解剖学的特徴の少なくとも一部分を定量化することと、
前記コンピュータシステムによって、前記個人の前記解剖学的特徴の前記定量化された一部分に一致するように構成可能なパラメトリックモデルの表面または輪郭を成形することにより、前記個人のための個人固有のアイウェア製品の前記構成可能なパラメトリックモデルを生成することと、
前記コンピュータシステムによって、前記構成可能なパラメトリックモデルの一つ以上の幾何学的パラメータを修正するためのリクエストを受信することと、
前記コンピュータシステムによって、前記構成可能なパラメトリックモデルの前記一つ以上の幾何学的パラメータを修正するための前記受信されたリクエストに基づいて、前記個人のための前記個人固有のアイウェア製品の更新されたパラメトリックモデルを生成することと、
前記コンピュータシステムによって、前記更新されたパラメトリックモデルに従って前記個人固有のアイウェア製品の物理的実施形態を製造するための命令を備える電子ファイルを生成することと
を含む、方法。
【請求項２】
前記更新されたパラメトリックモデル、命令、または電子ファイルを、一つ以上のコンピュータ数値制御コード、平坦パターン、ラピッドプロトタイピング命令、積層造形加工法のための命令、またはロボット制御命令に変換することをさらに含む、請求項１に記載の方法。
【請求項３】
前記個人固有のアイウェア製品の前記物理的実施形態を製造することに関連付けられる一つ以上の製造メトリクスを決定することをさらに含み、前記一つ以上の製造メトリクスは、一つ以上の原材料、生産能力、スケジュール、製品仕様、または品質チェックの選択を含む、請求項１に記載の方法。
【請求項４】
一つ以上のテンプレート、一つ以上の判断基準、または、前記個人固有のアイウェア製品の前記物理的実施形態を製造する際の品質制御のための前記個人の骨格の一つ以上の幾何学的特徴のうちの少なくとも一つを含む一つ以上の三次元モデルを生成することをさらに含む、請求項１に記載の方法。
【請求項５】
前記更新されたパラメトリックモデルに従って前記個人固有のアイウェア製品を製造するための命令は、一つ以上の仕様、データ構造、コンピュータ数値制御命令、マシン可読命令、技術者命令、または、製造システムによって解読可能なモデルファイルを含む、請求項１に記載の方法。
【請求項６】
前記更新されたパラメトリックモデルに従って前記個人固有のアイウェア製品の前記物理的実施形態を製造する方法を決定することと、
前記決定された製造の方法に基づいて前記個人固有のアイウェア製品の前記物理的実施形態を製造するための命令を備える前記電子ファイルの生成を修正することと
をさらに含む、請求項１に記載の方法。
【請求項７】
品質制御のための自動または人間の検査のための命令を含む、前記個人固有のアイウェア製品の前記物理的実施形態を製造するための命令を生成することをさらに含む、請求項１に記載の方法。
【請求項８】
前記更新されたパラメトリックモデルの再分割を平坦パターンのための部品として特定することと、
前記更新されたパラメトリックモデルの前記特定された再分割のための一つ以上の平坦パターンを製造するための命令に基づいて、前記個人固有のアイウェア製品を製造するための命令を生成することと
をさらに含む、請求項１に記載の方法。
【請求項９】
前記更新されたパラメトリックモデルの再分割に実行する操作を決定することと、
前記更新されたパラメトリックモデルの前記再分割に実行する前記操作に関連付けられる幾何学的情報を決定することと
前記更新されたパラメトリックモデルの前記再分割に実行する前記操作に関連付けられる前記幾何学的情報に基づいて前記個人固有のアイウェア製品を製造するための命令を生成することと
をさらに含む、請求項１に記載の方法。
【請求項１０】
前記操作は、前記更新されたパラメトリックモデルの前記再分割の前記操作のための前記幾何学的情報に、自動機器によって実行される屈曲、折り重ね、または形成を含む、請求項９に記載の方法。
【請求項１１】
前記更新されたパラメトリックモデルは、処方情報、レンズ情報、前記個人に関連付けられるユーザ情報、レンズレーザマーキング、レンズエッジ機械加工命令、前記個人によってまたは異なるユーザによって入力されるパラメータ、または設計属性情報を含む、請求項１に記載の方法。
【請求項１２】
前記設計属性情報は、一つ以上の表面、研磨、マーク、コート、エッジレンズ、ロゴ、装飾的なマーキング、色、パターン、または材料を含む、請求項１１に記載の方法。
【請求項１３】
前記更新されたパラメトリックモデルに従って前記個人固有のアイウェア製品を製造するための一つ以上の段階を決定することと、
前記更新されたパラメトリックモデルに従って前記個人固有のアイウェア製品を製造する前記一つ以上の段階のうちの少なくとも一つのためのコマンドのシーケンスを生成することであって、前記電子ファイルは、前記コマンドのシーケンスを含む、ことと
をさらに含む、請求項１に記載の方法。
【請求項１４】
前記更新されたパラメトリックモデルに従う、前記個人固有のアイウェア製品の前記製造のための一つ以上の製造メトリクスを決定することと、
前記一つ以上の製造メトリクスの最適化に基づいて前記個人固有のアイウェア製品の前記製造のための命令を生成するための前記電子ファイルを生成することと
をさらに含む、請求項１に記載の方法。
【請求項１５】
前記更新されたパラメトリックモデルに従う、前記個人固有のアイウェア製品の前記製造に関連付けられる予測を決定することをさらに含み、前記予測は、前記個人固有のアイウェア製品の前記製造を完了するための時間、または前記個人固有のアイウェア製品の前記製造を完了するための予定発送日に基づく、請求項１に記載の方法。
【請求項１６】
前記更新されたパラメトリックモデルに従う、前記個人固有のアイウェア製品の前記製造を完了するための時間を決定し、または前記更新されたパラメトリックモデルに従う、前記個人固有のアイウェア製品の前記製造を完了するための予定発送日を決定することをさらに含む、請求項１に記載の方法。
【請求項１７】
前記更新されたパラメトリックモデルに従って前記個人固有のアイウェア製品を製造するための価格を決定することをさらに含む、請求項１に記載の方法。
【請求項１８】
前記個人固有の製品は、アイウェアフレームを含む、請求項１に記載の方法。
【請求項１９】
個人固有のアイウェア製品を製造するための命令を生成するためのコンピュータシステムであって、前記システムは、
個人固有のアイウェア製品を製造するための命令を生成するための命令を記憶するデータ記憶装置と、
プロセッサと
を備え、
前記プロセッサは、
個人の解剖学的特徴の少なくとも一部分を定量化することと、
前記個人の前記解剖学的特徴の前記定量化された一部分に一致するように構成可能なパラメトリックモデルの表面または輪郭を成形することにより、前記個人のための個人固有のアイウェア製品の前記構成可能なパラメトリックモデルを生成することと、
前記構成可能なパラメトリックモデルの一つ以上の幾何学的パラメータを修正するためのリクエストを受信することと、
前記構成可能なパラメトリックモデルの前記一つ以上の幾何学的パラメータを修正するための前記受信されたリクエストに基づいて、前記個人のための前記個人固有のアイウェア製品の更新されたパラメトリックモデルを生成することと、
前記更新されたパラメトリックモデルに従って前記個人固有のアイウェア製品の物理的実施形態を製造するための命令を備える電子ファイルを生成することと
を含む方法を行う前記命令を実行するように構成されている、コンピュータシステム。
【請求項２０】
方法に従って個人固有のアイウェア製品を製造するための命令を生成するためのプログラミング命令を含有する、コンピュータシステムでの使用のため非一時的コンピュータ可読媒体であって、前記方法は、
個人の解剖学的特徴の少なくとも一部分を定量化することと、
前記個人の前記解剖学的特徴の前記定量化された一部分に一致するように構成可能なパラメトリックモデルの表面または輪郭を成形することにより、個人のための個人固有のアイウェア製品の前記構成可能なパラメトリックモデルを生成することと、
前記構成可能なパラメトリックモデルの一つ以上の幾何学的パラメータを修正するためのリクエストを受信することと、
前記構成可能なパラメトリックモデルの前記一つ以上の幾何学的パラメータを修正するための前記受信されたリクエストに基づいて、前記個人のための前記個人固有のアイウェア製品の更新されたパラメトリックモデルを生成することと、
前記更新されたパラメトリックモデルに従って前記個人固有のアイウェア製品の物理的実施形態を製造するための命令を備える電子ファイルを生成することと
を含む、非一時的コンピュータ可読媒体。
【請求項２１】
コンピュータシステムを使用して、個人固有のアイウェア製品のモデルを生成するための命令を生成するためのコンピュータ実装方法であって、前記方法は、
前記コンピュータシステムによって、個人の顔の解剖学的モデルを受信することと、
前記コンピュータシステムによって、前記個人の顔の前記解剖学的モデルの一つ以上の幾何学的特徴を特定及び定量化することと、
前記コンピュータシステムによって、前記解剖学的モデルの前記一つ以上の特定及び定量化された幾何学的特徴に基づいてレンズ構成のための一つ以上の光学的測定値を決定することと、
前記コンピュータシステムによって、前記個人の顔の前記解剖学的モデルの前記一つ以上の特定及び定量化された幾何学的特徴に一致するように構成可能なパラメトリックモデルの表面または輪郭を成形することによってレンズ構成のための前記一つ以上の光学的測定値に基づいて前記構成可能なパラメトリックモデルのレンズ部分の一つ以上の表面を生成することにより、個人のための個人固有のアイウェア製品の前記構成可能なパラメトリックモデルを決定することと
を含む、方法。
【請求項２２】
前記一つ以上の光学的測定値は、瞳孔間距離、頂点間距離、広角傾斜、フレームの全巻き角、及び／または、前記個人の顔の前記解剖学的モデルの瞳孔に対する前記構成可能なパラメトリックモデルの前記レンズ部分のレンズ高さを含む、請求項２１に記載の方法。
【請求項２３】
前記個人の顔の前記解剖学的モデルの一つ以上の幾何学的特徴を特定及び定量化することは、前記個人の顔の前記解剖学的モデルに基づいて、前記個人の眼の位置、前記個人の鼻の中心、及び／または前記個人の顔の垂直位置を決定することをさらに含む、請求項２１に記載の方法。
【請求項２４】
前記個人の顔の前記解剖学的モデルの前記特定及び定量化された一つ以上の幾何学的特徴に基づいて前記構成可能なパラメトリックモデルの一つ以上の幾何学的特徴を生成することにより、前記構成可能なパラメトリックモデルを決定することをさらに含む、請求項２１に記載の方法。
【請求項２５】
前記決定された構成可能なパラメトリックモデルに従って前記個人固有のアイウェア製品の物理的実施形態を製造するための命令を備える電子ファイルを生成することをさらに含み、前記個人固有のアイウェア製品の前記物理的実施形態は、累進多焦点レンズを含む、請求項２１に記載の方法。